(57)【要約】【課題】畜舎の必要な箇所に敷設できる簡便性があり、施工時間も短く、工事費も低減することができるし、柔軟性があるので家畜にとって快適であり、蓄熱性を有するので熱損失が少なく、また、面全体を均一に加温するので安全性に優れている。【解決手段】下層プレート１は、断熱性と強度性を有する発泡性硬質材料により成形してある。下層プレート１の上面１Ａを覆う中層プレート２はコンクリートやアスファルト等の蓄熱性を有する材料で成形してあり、電熱線４が埋設してある。中層プレート２の上面２Ａに積層する上層プレート３は放熱性と柔軟性を有するゴム或いはゴムに木片、粒状貝殻、炭片等を混入した材料で成形してある。【選択図】  図１
0003123339.tif 000002
【実用新案登録請求の範囲】
【請求項１】
断熱性と強度性を有する材料からなる下層プレートと、蓄熱性を有する材料からなり、該下層プレート上に積層する中層プレートと、放熱性及び柔軟性を有する材料からなり、該中層プレート上に積層する上層プレートとから構成し、前記中層プレートに発熱体を埋設してなる畜舎用暖房パネル。
【請求項２】
前記下層プレートは、発泡性硬質材料で成形してある請求項１記載の畜舎用暖房パネル。
【請求項３】
前記中層プレートは、コンクリート若しくはアスファルト、又はこれらに粒状鉱石を混入したもので成形してある請求項１記載の畜舎用暖房パネル。
【請求項４】
前記上層プレートは、ゴムで成形するか又は木片、粒状貝殻、炭のいずれか１種類若しくはこれらの複合材をバインダーにより固形化して成形したものである請求項１記載の畜舎用暖房パネル。
【請求項５】
前記発熱体は電熱線又は温水管を引き回して配設したものからなり、隣接する配線部又は配管部同士の間隔Ｌ１は前記中層パネルの上面からの距離Ｌ２より狭く設定してあることを特徴とする請求項１記載の畜舎用暖房パネル。
【考案の詳細な説明】
【技術分野】
【０００１】
本考案は、畜舎の床に敷設して用いることにより、牛、豚等の家畜の成育に好適な畜舎用暖房パネルに関する。
【背景技術】
【０００２】
寒冷地では、秋から春までの間、家畜を成育する畜舎内を動物の成育や健康維持のために適度の温度に暖めることを行っている。従来の畜舎の暖房方法としては、発熱体を埋設した暖房用マット又はパネルを敷設する、赤外線放熱器具を設置する、コンクリート床に発熱体を埋設する、といった方法が採られている。
【０００３】
そして、暖房用マットとして、ゴム質の材料のものの内部に室を形成し、室に上面にアルミ板等の放熱板、下面には断熱板を挿入し、放熱板と断熱板との間に面状発熱体を挿入した構成の保温マット（特許文献１）がある。また、暖房用パネルとして、薄板状の底板と、断熱材と、金網と、発熱体とを順次に積層して高強度モルタルで一体に構成した薄板モルタルヒータ（特許文献２）がある。
【特許文献１】特開昭５８−１２１７３２号公報
【特許文献２】特開平６−１１３６９３号公報
【考案の開示】
【考案が解決しようとする課題】
【０００４】
上述した従来技術のうち、保温マットは厚さが十分でないことから、動物がマット上に直接寝た場合、発熱体が動物の体を局所的に熱してしまい火傷するという危険があるし、蓄熱性に欠けるために熱損失が大きいという欠点がある。また、赤外線放熱器具は動物の動きに支障がない場所、主に天井側の高所に設置するため、寝た状態の動物からは離れてしまうことから熱損失が大きいという欠点がある。
【０００５】
更に、発熱体を埋設したコンクリート床は、発熱体を敷設する面積が必然的に大きくなるため、不必要な部分も加温することからランニングコストが嵩むという欠点や、床から建物に熱が伝導するために熱損失が大きいという欠点がある。更に、薄板モルタルヒータは上面の柔軟性に欠けるために動物の皮膚を傷めるという欠点がある。
【０００６】
本考案は上述した従来技術の諸欠点に鑑みなされたもので、畜舎の床に敷設するだけであるから必要な箇所に敷設することが可能であるし、施工時間も短く、作業が容易で、工事費も低減することができると共に、柔軟性を有するので動物にとって快適であるし、蓄熱性を有するので熱損失が少なく、また、面全体を均一に加温するので動物が火傷することがない安全性に優れた畜舎用暖房パネルを提供することを目的とする。
【課題を解決するための手段】
【０００７】
上述した課題を解決するために構成した本考案の手段は、断熱性と強度性を有する材料からなる下層プレートと、蓄熱性を有する材料からなり、該下層プレート上に積層する中層プレートと、放熱性と柔軟性を有する材料からなり、該中層プレート上に積層する上層プレートとから構成し、前記中層プレートに発熱体を埋設したものからなる。
【０００８】
そして、前記下層プレートは、発泡性硬質材料で成形するとよい。
【０００９】
また、前記中層プレートは、コンクリート若しくはアスファルト、又はこれらに粒状鉱石を混入したものにするとよい。
【００１０】
また、前記上層プレートは、ゴムで成形するか又は木片、粒状貝殻、炭のいずれか１種類若しくはこれらの複合材をバインダーにより固形化して成形するとよい。
【００１１】
更に、前記発熱体は電熱線又は温水管を引き回して配設したものからなり、隣接する配線部又は配管部同士の間隔Ｌ１は前記中層パネルの上面からの距離Ｌ２より狭く設定した構成にするとよい。
【考案の効果】
【００１２】
本考案は以上の如く構成したから、下記の諸効果を奏する。
（１）畜舎の床に敷設するだけであるから、畜舎内の任意の場所を加温できるし、施工時間も短く、作業が容易で、工事費も低減することができる。
（２）暖房パネルは移動可能であるから、畜舎の清掃時の邪魔にならないし、屋外の日陰等の地面に敷設して使用することもできる。
（３）下層プレートは断熱性を有しており、また中層プレートは蓄熱性を有するので、熱損失がなくランニングコストを抑えることができる。
（４）上層プレートは放熱性を有するので均等に発熱することにより動物を快適に加温することができるし、柔軟性を有するので動物の皮膚や足、蹄を傷めることがない。
（５）発熱体の電熱線又は温水管同士の間隔Ｌ１は中層パネルの上面からの距離Ｌ２より狭く設定した構成にしたから、上層パネルの全面を均一に加温することができ、動物が火傷することもなく安全性に優れている。
【考案を実施するための最良の形態】
【００１３】
以下、本考案の実施の形態を図面に基づき説明する。図において、１は下層プレートを示し、該下層プレート１は熱が地面側に伝導して逃げることがなく、かつ家畜の重量に耐えることができる強度性を有する材料、例えば硬質発泡ウレタン、硬質発泡ポリスチレン等の断熱性と強度性を有する発泡性硬質材料で長方形の平板状に形成してある。
【００１４】
２は前記下層プレート１の上面１Ａに積層し、かつ４面の側面１Ｂ、１Ｃを覆った状態に成形した中層プレートを示す。該中層プレート２は蓄熱性を有する材料、例えばコンクリート若しくはアスファルト、又はこれらに粒状鉱石を混入したもので、下層プレート１の略倍以上の厚さの四角形の平板に成形してある。粒状鉱石は特に限定されるものではないが、例えばトルマリンのように遠赤外線効果を発揮するもの、軽石のように多孔質のものが好適である。
【００１５】
３は前記中層プレート２の上面２Ａに積層した上層プレートを示す。該上層プレート３は放熱性と柔軟性を有する材料で、四角形の平板状に成形したものからなる。上層プレート３の材料としては、例えばゴムの他、木片、粒状貝殻、炭片にゴム系或いはレジン系のバインダーを混合したものがよい。そして、上層プレート３は接着剤により中層プレート２に貼着してある。
【００１６】
ここで、上層プレート３に木片を混入することにより柔軟性を持たせることができる。また、粒状貝殻又は粒状炭を混入することにより畜舎の空気を浄化し消臭することができる。
【００１７】
更に、４は前記中層プレート２に埋設した発熱体を示す。該発熱体４は長尺の電熱線からなり、中層プレート２の厚さの略中間に位置して蛇行状に敷設し、始端４Ａと終端４Ｂに給電用ソケット５が接続してある。ここで、電熱線４は隣接する配線部４Ｃ，４Ｃの間隔Ｌ１を配線部４Ｃと中層パネル２の上面２Ａとの間隔Ｌ２より狭く設定して敷設し、中層プレート２の全体を均等に加熱することにより、上層プレート３の全面が均一に放熱するようにしてある。
【００１８】
また、６は温度設定が可変型のサーモスタットで、該サーモスタット６は中層プレート２の厚さ方向略中間に埋設してあり、配線７によって前記給電用ソケット５と電気的に接続してある。
【００１９】
本実施の形態は上述の構成からなり、畜舎の床に敷いて使用することから、任意の場所に敷設して使用することができる。しかも、暖房パネルは、下層プレート１に断熱性を持たせてあるから、熱が地面側に逃げる熱損失を可及的に防止することができる。また、下層プレート１は強度性を有するから、地面が厳密に平坦でなくても家畜の重量に耐えることができる。
【００２０】
また、電熱線４を埋設して敷設する中層プレート２は蓄熱性の高い材料により成形したから、中層プレート２が一旦加温した後は電熱線４の発熱温度の設定を下げることにより、電気代を削減することができるし、長時間の高温加熱により動物が火傷する事態を防止することができる。
【００２１】
更に、上層プレート３は放熱性と柔軟性を備えた材料で成形したから、畜舎内を効率的に暖房することができるし、動物にとって快適な環境にすることができる。また、電熱線４は、隣接する電熱線４Ｃ、４Ｃ同士の間隔Ｌ１は中層パネル２の上面２Ａからの距離Ｌ２より狭く設定して配線してあるから、中層プレート２の全体を均一に加温することができると共に、熱損失を抑制することができる。
【００２２】
このように、暖房パネルは下層プレート１、中層プレート２及び上層プレート３の三層に構成し、下層プレート１は断熱性と強度性、中層プレート２は蓄熱性、上層プレート３は放熱性と柔軟性を有する構成にしたから、耐久性に優れ、ランニングコストを低減でき、しかも動物にとって怪我やストレスのない快適な環境を提供することができる。
【００２３】
また、暖房パネルは、給電用ソケット５を介して複数枚の暖房パネル同士を接続することにより、畜舎の面積や必要な場所に対応して複数枚の暖房パネルを敷設することができる。
【００２４】
なお、本実施の形態では発熱体に電熱線４を用いたが、温水パイプを敷設して温水により放熱する構成にしてもよい。
【図面の簡単な説明】
【００２５】
【図１】本考案の実施の形態に係る畜舎用暖房パネルの全体構成を示す斜視図である。
【図２】図１中のＩＩ―ＩＩ矢示方向拡大断面図である。
【符号の説明】
【００２６】
１          下層プレート
２          中層プレート
３          上層プレート
４          電熱線（発熱体）
４Ｃ        配線部
【図１】
0003123339.tif 000003
【図２】
0003123339.tif 000004